(57)【特許請求の範囲】
【請求項１】
前方に開口部を有する捕獲具本体と、前記開口部と開口部分を合せて配置され前記開口部付近の所定位置を支点にして回動可能なリング部材と、前記リング部材が前方に回動するように付勢する第１バネ部材と、前記リング部材を係止して前記開口部の外周にセットする係止部材と、前記保護具本体内において餌を取り付ける餌取付部材と、前記エサ取付部材と前記係止部材とを連絡するリンク機構と、前記リング部材の外周に掛けられる輪を一端に形成したワイヤと、前記ワイヤの輪を輪が縮む方向に付勢する第２バネ部材とを備えたことを特徴とする捕獲具。
【請求項２】
前記捕獲具本体が、底板と、開口部および餌を仕掛ける空間を残して前記床板を囲う板材とから成る請求項１に記載の捕獲具。
【発明の詳細な説明】
【０００１】
【産業上の利用分野】
本発明は、捕獲具に関し、特に、捕獲率を向上させた捕獲具に関する。
【０００２】
【従来の技術】
野犬を捕獲する際に、人手を要せず、嵩ばらずに容易に設置できる捕獲具として実開平４−５５２８６号公報に記載のものが知られている。
【０００３】
上記捕獲具は、上端が開口部となっている筒状の捕獲具本体を地面上に固定し、捕獲具本体の内周壁に、その長手方向に沿って上下動自在の捕獲作動棒部を備えている。この捕獲作動棒部の下端は餌係止部となっていて、上端は外側へ折り曲げられ首輪係留部となっている。一方、ワイヤ等から成る捕獲用首輪の先端に環状部を形成し、スプリング部材を用いて環状部を収縮自在にし、スプリング部材に抗して首輪部を広げて、開口部の外周に環状部を圧着させる。
【０００４】
上記捕獲具において、犬が開口部に首を突っ込み餌に喰い付き餌を引っ張ると、餌係止部が上方に移動し、それと同時に首輪係留部も上方に移動して、捕獲用首輪の環状部を押し上げ、環状部は、開口部外周から外れスプリング部材の付勢力により収縮して犬の首の周りを締め付け、犬が捕獲される。
【０００５】
【発明が解決しようとする課題】
上記のような捕獲具にあっては、捕獲用首輪の環状部が確実に犬の首を捕えるようにするには、餌係止部を捕獲具本体の深い位置に配置し、犬が捕獲具内に首を深く突っ込むようにしなければならないが、そうすると、犬が警戒してしまい、なかなか餌に喰い付かない。餌に喰い付くようにするため、餌を浅い位置に配置すると、首輪の環状部が収縮しても犬の首には掛からず首輪が犬から外れてしまう。このため、犬の捕獲率が悪く、十分な効果が得られなかった。
【０００６】
本発明は上記の点にかんがみ、野犬等の動物を確実に捕獲できる捕獲具を提供することを目的とする。
【０００７】
【課題を解決するための手段】
上記課題を解決するため、本発明においては、図１に示すように、前方に開口部１を有する捕獲具本体３と、開口部１と開口部分を合せて配置され開口部１付近の所定位置を支点にして回動可能なリング部材５と、リング部材５が前方に回動するように付勢する第１バネ部材７と、リング部材５を係止して開口部１の外周にセットする係止部材９と、捕獲具本体３内において餌を取り付ける餌取付部材１１と、エサ付け部材１１と係止部材９とを連絡するリンク機構１３と、リング部材５の外周に掛けられる輪１５ａを一端に形成したワイヤ１５と、ワイヤの輪１５ａの部分を輪１５ａが縮む方向に付勢する第２バネ部材１７とによって捕獲具を構成した。
【０００８】
【作用】
図８に示すように、犬Ｄが開口部に首を突っ込んで餌を引っ張ると、餌取付部材が作動し、それによりリング部材５が係止部材９から外れて図８の矢印Ａ方向に回動する。リング部材５は犬Ｄの頭の部分を越えて首の周りにかぶさるようになる。リング部材５にはワイヤの輪１５ａが掛けられていて、リング部材５が犬Ｄに当るとその衝撃でワイヤの輪１５ａがリング部材５から外れ、ワイヤの輪１５ａが第２バネ部材の作用によって収縮して犬Ｄの首の部分に掛けられ犬が捕獲される。
【０００９】
【実施例】
以下本発明について図面を参照して説明する。
図１は、本発明による捕獲具の一実施例を示す全体図、図２は捕獲具本体の拡大斜視図（ワイヤを掛けていない状態）、図３は捕獲具本体の側面図（ワイヤを掛けた状態）である。
【００１０】
本実施例の捕獲具は、前方に開口部１を有する蒲鉾形の捕獲具本体３と、開口部１付近に配置され開口部１の一部分を支点にして回転可能な蒲鉾形リング部材５とを備えている。捕獲部本体の開口部１は大きく開くように図３に示すように傾斜して形成されている。リング部材５の開口部分は開口部１に合うように配置され、前方（図３の矢印Ａ方向）に回動するように第１バネ部材７によって常時付勢されている。リング部材５は帯状の金属板材を環状にして構成し、上部には係止穴５ａ（図３の上部）が形成され、この穴５ａに係止部材９が挿入されてリング部材５を開口部５の外周にセットする。餌Ｅは餌取付部材１１に取り付けられ、餌取付部材１１はリンク機構１３によって係止部材９に連絡されている。餌取付部材１１の先端は例えば釣針状になっていてそこに餌Ｅを引っ掛ける。
【００１１】
ワイヤ１５の一端には犬、猫等の獲物の首に掛けられる輪１５ａが形成され、輪１５ａは第２バネ部材１７によって輪１５ａが絞まる方向に常時付勢され手入る。輪１５ａは第２バネ部材１７のバネ力に抗して広げられ、図３に示すようにリング部材５の外周に掛けられる。ワイヤ１５の他端にはフック１９が取り付けられて、このフック１９を所定箇所に接続して捕えた獲物をつなぎ止めておくことができる。
【００１２】
捕獲具本体３は、図２に示すように、底板３１と、開口部１および餌Ｅを仕掛ける空間を残して床板３１を囲う側板３２および後板３３とから構成される。開口部１が広く、後板３３部分が小さいラッパ形状に形成されているので、捕獲具本体を複数重ねても収納に場所をとらず持ち運びに便利てある。但し、捕獲具本体は実施例の形状に限定されず、例えば先に従来技術として紹介した実開平４−５５２８６号公報に記載の捕獲具本体、すなわち、両端を開口とした筒体であって、これを地面に立てることにより一端を地面でふさぎ、他端を開口部としたものを使用してもよい。
【００１３】
床板３１の開口部寄りの下側には台２１が取り付けられ、リング部材５はこの台２１に第１バネ部材７によって回転自在に支持される。すなわち、図２に示すように、リング部材５の直線部５ｂの両端にそれぞれ２個ずつ穴が形成され、その穴に２本の弾性金属線材（第１バネ部材７）が挿通され、両端が折り曲げられ、その一端はリング部材５に係止され、他端は台２１の反対側の端部に係止される。このとき、リング部材５が前方（図３の矢印Ａ方向）に常時付勢されるように第１バネ部材７端部の折曲げ方向を設定する。
【００１４】
第１バネ部材７の付勢力は、たとえば幼児等が誤って仕掛けを外した場合であっても怪我をしないように最小限度に弱く設定するのが好ましい。また同じ理由からリング部材５も軽い金属材（例えばアルミ材）を使用すると良い。
【００１５】
リング部材５には、ワイヤが効果的に外れるようにするワイヤ外し部材が２つ取り付けられている。その１つは、係止穴５ａの近くに設けられた金属線材からなる移動部材２３であり、移動部材２３はリング部材５を緩く巻くように取り付けられている。移動部材２３はリング部材５の長さ方向と直交する方向に移動可能であり、その移動によってリング部材５に掛けられたワイヤを押し、ワイヤをリング部材５から確実に外すように作用する。リング部材５には切欠きが形成され、この切欠きを通して金属線材２３が巻かれて取付位置がずれないようになっている。
【００１６】
ワイヤ外し部材のもう１つは、移動部材２３の下方に設けられた、金属線材から成るレバー２５である。レバー２５はリング部材５の長さ方向に延びその中心部分はリング部材２５に形成された穴に挿通されて支持され、レバー２５の一端２５ａはリング部材５に掛けられ、他端はＬ字形に折曲げられ、折曲部２５ｂが形成されている（図３参照）。レバー２５は折曲部２５ｂの手前において、リング部材５に形成された切欠き５ｂに挿入され、切欠き５ｂ上にワイヤが掛けられる。したがって、折曲部２５ｂが切欠き部５ｂを外れるように移動するときワイヤを押してワイヤがリング部材５から外れる。
【００１７】
図４はリンク機構１３の詳細を示す図である。後板３３の外側にはスプリング４１が配置され、引下げバネ４１はコイルバネ部４１ａと、引下げ部４１ｂと、乗り上げ部４１ｃを備えている。引下げ部４１ｂは、餌取付部材１１と直交するように延び、セット時にはバネ４１ｂの力に抗して乗り上げ部４１ｃに乗せる。引下げ部４１ｂの先端は、リンク４３に接続される。リンク４３も後板３３の外側に配置されている。
【００１８】
係止部材９は、金属線材から成り、図４に示すように、係合穴５ａと係合する先端部９ａと、先端部９ａから後方に延びる直線部９ｂと、直線部９ｂから側板３２に形成された穴３２ａを通って下方に折り曲げられた垂直部９ｃと、垂直部９ｃから直線部９ｂと直交する方向に延びリンク４３と接続される接続部９ｄとから構成されている。
【００１９】
図５〜７はワイヤ部分の拡大図であり、ワイヤ１５の先端に形成された輪１５ａは、第２バネ部材１７によって輪が絞まる方向に常に付勢されている。第２バネ部材１７は、ジグザグ形状のジクザグバネ１７ａと、ジグザグバネ１７ａに連結するコイルバネ１７ｂとから構成されている。ジグザグバネ１７ａは弾性を有する金属線材から成り、各折り返し１７ｃのところに２〜３重にコイルバネが巻かれ、折り返しと折り返しの間にワイヤ通し用ループ１７ｄが形成されている。
【００２０】
もちろん、第２バネ部材１７としてはジグザグバネ１７ａに限定されず、伸縮するバネであれば他の種類のバネを使用してもよい。ただし、上記のようなジグザグバネ１７ａを使用すれば、大きな伸び縮みができ、それによって開口部１を大きくとり、餌を浅い位置に置くことができる。そのため犬、猫等の獲物に警戒されてしまうということが少ない。さらに、上記ジグザグバネ１７ａはワイヤに捩り癖を与えず、ワイヤを柔らかく良く絞めることができる。
【００２１】
図６に示すように、フック１９と第２バネ部材１７との間には緩衝バネ４５、金具４７が接続され、緩衝バネ４５から輪１５ａの部分が緩衝バネ４５の箇所で外せるようになっている。
【００２２】
コイルバネ１７ｂ、ループ１７ｄの中心にワイヤを挿通させて第２バネ部材１７がワイヤに取り付けられる。実施例の第２バネ部材１７の取り付けはワイヤの輪１５ａが先端に形成された状態でもできる。すなわち、ワイヤ１５を第２バネ部材１７に取り付けるときは、図７に示すように、ワイヤ１５をコイルバネ１７ｂ、ループ１７ｄの巻き方向に回していけばよい。ワイヤを取り外すときは上記と逆にすればよく、簡単にワイヤの取り付け、取り外しができ、ワイヤ交換が楽である。
【００２３】
次に上記実施例の作用について説明する。
捕獲具を仕掛ける場合は、まず、リング部材５を第１バネ部材７のバネ力に抗して捕獲具本体３の側に倒し、係止部材９の先端部９ａを係合穴５ａに係合させて、リング部材５をセットする。この際、餌Ｅを餌取付部材１１に取り付け、引下げバネ４１の引下げ部４１ｂを乗り上げ部４１ｃに乗せておく。次いで、ワイヤの輪１５ａを、第２バネ部材１７のバネ力に抗して広げ、リング部材５の外周に掛ける。このとき、移動部材２３、レバー２５の折曲部２５ｂは輪１５ａの後に位置するようにし、一方、ワイヤ１５のフック１９は所定箇所につないでおく。
【００２４】
図８，９は獲物がかかるときの動作を説明する図であって、図８は大きな犬Ｄの場合、図９は小さい犬Ｆの場合である。まず、図８において、大きい犬Ｄが捕獲具本体３に頭を突っ込んで餌Ｅを引っ張ると、餌取付部材１１が引っ張られて、引下げバネ４１の引下げ部４１ｂが乗り上げ部４１ｃから落とされ、リンク４３が下方に引下げられ、係止部材９の接続部９ｄが穴３２ａを支点に回動して直線部９ｂが図４の矢印方向に回転する。これにより先端部９ａが外れてリング部材５が図８の矢印Ａの方向に倒れ、犬Ｄに当る。この衝撃でワイヤの輪１５ａがリング部材５から外れ、第２バネ部材１７によって輪１５ａが絞められて犬Ｄの首にワイヤが掛けられる。ワイヤ１５はフック１９を介して他に接続されているので、犬Ｄはその場につなぎ止められる。
【００２５】
以上のようにワイヤはリング部材５が犬Ｄに当った衝撃で外れるわけだが、移動部材２３がその動作を促進する。すなわち、リング部材５が犬Ｄに当ったとき移動部材２３は慣性によってリング部材５の移動方向（図８の矢印Ａ方向）に移動しワイヤの輪１５ａを押すので、この作用によって輪１５ａは迅速かつ確実にリング部材５から外される。
【００２６】
図９に示すように、小さい犬Ｆの場合はリング部材５が外れても直ぐには犬Ｆに当らず、したがってワイヤも外れない。しかし、リング部材５がある程度倒れたところで、レバー２５の端部２５ｃが台２１に当って台２１によって折曲げ部２５ｂが押され、それによりワイヤの輪１５ａが押されてリング部材５から外される。このように、レバー２５によってワイヤがリング部材５から確実に外されるので、小さい獲物であっても捕獲ミスすることなく確実に捕えることができる。
【００２７】
【発明の効果】
以上説明したように、本発明によれば、リング部材にワイヤを掛けてリング部材を獲物の方へ移動させてワイヤを外すようにしているため、捕獲率を著しく向上させることができるという効果が得られる。また、餌を捕獲具本体の浅い位置に置くことができ、動物を警戒させることも少ないので、この点からも捕獲率を高くすることができる。
【図面の簡単な説明】
【図１】本発明による捕獲具の一実施例を示す全体図
【図２】捕獲具本体の拡大斜視図
【図３】捕獲具本体の側面図
【図４】リンク機構の拡大図
【図５】ワイヤの先端部分の拡大斜視図
【図６】ワイヤの後端部分の拡大斜視図
【図７】ワイヤを第２バネ部材に取り付ける様子を示した拡大斜視図
【図８】大きい犬が捕獲されるときの様子を示す図
【図９】小さい犬が捕獲されるときの様子を示す図
【符号の説明】
１  開口部
３  捕獲具本体
５  リング部材
７  第１バネ部材
９  係止部材
１１  餌取付部材
１３  リンク機構
１５  ワイヤ
１５ａ  輪
１７  第２バネ部材
【図１】
0003555045.tif 000002
【図２】
0003555045.tif 000003
【図３】
0003555045.tif 000004
【図４】
0003555045.tif 000005
【図５】
0003555045.tif 000006
【図６】
0003555045.tif 000007
【図７】
0003555045.tif 000008
【図８】
0003555045.tif 000009
【図９】
0003555045.tif 000010